(57)【要約】【課題】  寿命末期等の不良の放電灯の識別を容易に行うことができ、かつ、保護用の回路を動作させて安全に停止することができる放電灯点灯装置を提供する。【解決手段】  直流電源１から供給される直流電流を、放電灯７、１１の通常点灯時における点灯周波数又は点灯周波数よりも高い周波数の高周波電流に変換駆動するインバータ回路等の変換回路と、点灯周波数よりも高い周波数で駆動した場合に、正常な放電灯は点灯を継続し、不良の放電灯は消灯するように回路定数が設定され、複数の放電灯を点灯制御する、並列に接続された複数の放電灯負荷回路Ｌ１００、Ｌ１１０と、複数の放電灯７、１１の両端の電圧に基づいて異常放電を検出する±検出回路Ｄ１００と、±検出回路Ｄ１００が少なくとも１つの放電灯の異常放電を検出すると、点灯周波数よりも高い周波数で所定時間駆動させた後に停止させる保持回路Ｈ１００等の判断回路とを備えている。【選択図】        図１
2005276735.tif 000002
【特許請求の範囲】
【請求項１】
直流電源から供給される直流電流を、放電灯の通常点灯時における点灯周波数又は該点灯周波数よりも高い周波数の高周波電流に変換駆動する変換回路と、
該変換回路が前記点灯周波数よりも高い周波数で駆動した場合に、点灯状態にある正常な放電灯は点灯を継続し、不良の放電灯は消灯するように回路定数が設定され、複数の放電灯をそれぞれ点灯制御する、並列に接続された複数の放電灯負荷回路と、
前記複数の放電灯の両端の電圧に基づいて異常放電を検出する検出回路と、
該検出回路が少なくとも１の放電灯の異常放電を検出すると、前記変換回路を前記点灯周波数よりも高い周波数で所定時間駆動させた後に停止させる判断回路と
を備えたことを特徴とする放電灯点灯装置。
【請求項２】
前記点灯周波数よりも高い周波数は、前記複数の放電灯を点灯する前の予熱に用いられる予熱周波数であることを特徴とする請求項１記載の放電灯点灯装置。
【請求項３】
前記検出回路は、前記少なくとも１つの放電灯の両端の電圧の平均が所定の範囲を越えた場合に、異常放電を検出することを特徴とする請求項１記載の放電灯点灯装置。
【請求項４】
前記変換回路は、
前記点灯周波数で駆動するか又は該点灯周波数よりも高い周波数で駆動するかを設定する周波数設定回路と、
該周波数設定回路の設定に基づいた周波数で発振する発振制御回路と、
前記直流電源から供給される直流電流を、前記発振制御回路の発振に応じた高周波電流に変換駆動するインバータ回路と
で構成されることを特徴とする請求項１〜３のいずれかに記載の放電灯点灯装置。
【請求項５】
前記判断回路は、
前記検出回路の検出に基づいて、前記点灯周波数よりも高い周波数での駆動を前記周波数設定回路に設定させる保持回路と、
前記発振制御回路を所定時間発振させた後に停止させる遅延タイマ回路と
で構成されることを特徴とする請求項４記載の放電灯点灯装置。
【発明の詳細な説明】
【技術分野】
【０００１】
この発明は、放電灯点灯装置に関するものである。特に、インバータ回路による高周波電力によって放電灯を点灯させる放電灯点灯装置において、不良の放電灯の異常放電に対する保護に関するものである。
【背景技術】
【０００２】
従来の放電灯点灯装置において、放電灯寿命末期におけるエミレス（エミッターレス）状態を検出し、表示を行った上で、放電灯の点灯継続を行う装置が開示されている（例えば、特許文献１参照）。ただ、放電灯が寿命末期になった状態で点灯継続するのは、放電灯の整流点灯状態により点灯回路に過剰なストレスがかかる。そこで、放電灯が寿命末期等、不良の状態であることを検出回路が検出すると、インバータ回路への電源供給を停止する保護回路を設けた放電灯点灯装置も開示されている（例えば、特許文献２参照）。
【特許文献１】特開昭６４−５４６９６号公報
【特許文献２】特開２００２−２０３６９１号公報
【発明の開示】
【発明が解決しようとする課題】
【０００３】
しかし、上記の特許文献２のような保護回路を設けた放電灯点灯装置の場合には、検出回路が放電灯が不良の状態であることを検出すると、インバータ回路への電源供給を完全に停止してしまうため、並列的に接続されている複数の放電灯が全て消灯してしまう。そのため、寿命末期になった放電灯の識別が困難で、正常放電灯との交換しようとする場合には、放電灯の外観の汚れなどを手掛かりにして、試行錯誤的な段取りで行なわざるを得ない問題があった。
【０００４】
また、特許文献１の場合であっても、予熱状態と点灯状態との繰り返しにより、複数の放電灯が、正常、不良状態にかかわらず所定回数点滅してエミレス表示を行い、その後、点灯状態を維持するようにしているので、寿命末期になった放電灯の識別が困難である。
【０００５】
この発明は、上記のような従来装置の問題点を解決するためになされたもので、複数の放電灯負荷回路を並列的に接続可能な放電灯点灯装置において、寿命末期等の不良の放電灯の識別を容易に行うことができ、かつ、保護用の回路を動作させて安全に停止することができる放電灯点灯装置を提供することを目的とする。
【課題を解決するための手段】
【０００６】
上記課題を解決するため、本発明に係る放電灯点灯装置は、直流電源から供給される直流電流を、放電灯の通常点灯時における点灯周波数又は点灯周波数よりも高い周波数の高周波電流に変換駆動する変換回路と、変換回路が点灯周波数よりも高い周波数で駆動した場合に、点灯状態にある正常な放電灯は点灯を継続し、不良の放電灯は消灯するように回路定数が設定され、複数の放電灯をそれぞれ点灯制御する、並列に接続された複数の放電灯負荷回路と、複数の放電灯の両端の電圧に基づいて異常放電を検出する検出回路と、検出回路が少なくとも１の放電灯の異常放電を検出すると、変換回路を点灯周波数よりも高い周波数で所定時間駆動させた後に停止させる判断回路とを備えたものである。
【発明の効果】
【０００７】
この発明によれば、点灯周波数よりも高い周波数で駆動した場合に、正常な放電灯の点灯は継続する一方で不良の放電灯を消灯するように回路定数を設定し、複数の放電灯の両端の電圧に基づいて、そのうち１つでも異常と検出すると、点灯周波数よりも高い周波数で所定時間駆動した後に、駆動を停止することにより、不良の放電灯だけが消灯する識別期間（所定時間）の後、動作を安全に停止できる。このため、インバータ回路の停止後に正常な放電灯に交換をする場合でも、従来のように、放電灯の外観や汚れなどを手掛かりに、試行錯誤的な作業を行う必要がなく複数の放電灯の中から不良の放電灯のみを選んで、時間の無駄なく効率良く正常な放電灯に交換できる。
【発明を実施するための最良の形態】
【０００８】
実施の形態１．
図１はこの発明の第１の実施の形態における放電灯を含む放電灯点灯装置の構成を示す回路図である。図１において、直流電源１は、例えば商用電源を整流後、コンデンサで平滑して得られるものである。インバータ回路はＭＯＳＦＥＴからなるスイッチング素子２及び３で構成される。
【０００９】
図２は直流電源１の構成例を表す図である。図２に示すように、商用電源１ａである交流電源は、ダイオードブリッジ１ｂで全波整流された後、平滑コンデンサ１ｃで平滑化され、直流電源１として負荷回路（放電灯点灯装置を構成する回路）に出力されるように構成される。
【００１０】
放電灯負荷回路Ｌ１００は、チョークコイル６、点灯対象となる放電灯７及び放電灯７に並列に接続されたコンデンサ８で構成され、その１端はカップリングコンデンサ５を介してスイッチング素子２と３の接続点に、他端は直流電源１の負極に接続される。なお、スイッチング素子２及び３のドレイン・ソース間に逆方向に内蔵されているダイオードについては図示を省略している。
【００１１】
放電灯負荷回路Ｌ１１０も放電灯負荷回路Ｌ１００と同一の構成であり、チョークコイル１０、放電灯１１及び放電灯１１に並列に接続されたコンデンサ１２で構成される。放電灯負荷回路Ｌ１１０と放電灯負荷回路Ｌ１００とは並列に接続されている。
【００１２】
発振制御回路４は、直流電源１の負極と出力端子Ｄ２間の電圧でスイッチング素子３を、Ｖｓ端子と出力端子Ｄ１間の電圧でスイッチング素子２を交互にＯＮ／ＯＦＦ駆動する。発振制御回路４によるスイッチング素子２，３のＯＮ／ＯＦＦのタイミングは、後述する予熱タイマ回路ＰＨ１００のＮＰＮトランジスタ１８のＯＮ又はＯＦＦ状態に依存する。ここで、図１中のＶcc記号は、他の回路（図示せず）から供給される制御回路駆動電圧を示している（以下、Ｖccと接続されるとは、制御回路と接続されてＶccの電圧が印加される（他の素子が間に接続されている場合はその分の電圧降下が生じる）ことを意味するものとする）。
【００１３】
予熱タイマ回路ＰＨ１００は、直流電源１が投入された時に、放電灯７、１１が有するフィラメントの予熱等を行うための予熱周波数で、一定時間、発振制御回路４に発振させるための回路である。ここで予熱周波数はいわゆる全光時の点灯周波数よりも高い周波数である。点灯周波数とは放電灯７、１１が点灯している状態において発振制御回路４が発振する周波数である。本実施の形態では、予熱タイマ回路ＰＨ１００は、点灯前だけでなく、放電灯７、１１が点灯状態にあり、発振制御回路４が点灯周波数で発振している状態においても、異常放電等が検出された際に、発振制御回路４の発振周波数を予熱周波数に設定するための周波数設定回路としても機能する。インバータ回路、発振制御回路４及び予熱タイマ回路ＰＨ１００で変換回路を構成する。
【００１４】
抵抗１５の一端は発振制御回路４のＲｔ端子に、他端はＣｔ端子に接続される。また、Ｃｔ端子と直流電源１の負極間にコンデンサ１６が接続される。さらにコンデンサ１７の一端は発振制御回路４のＣｔ端子に、他端はＮＰＮトランジスタ１８のコレクタに接続される。ＮＰＮトランジスタ１８のエミッタは直流電源１の負極に、ベースは抵抗２０及び抵抗２１を介してＶｃｃに接続される。そして、ＮＰＮトランジスタ１８のベース−エミッタ間には抵抗１９が接続される。また、電解コンデンサ２３の一端は抵抗２１と２２（２０）の接続点に、他端は直流電源１の負極間に接続される。そして、抵抗２２の一端は抵抗２１と２０の接続点に、他端はダイオード５１のアノードに接続される。さらに、ダイオード５１のカソードは後述する保持回路Ｈ１００のサイリスタ５３のアノードに接続される。
【００１５】
ＮＰＮトランジスタ１８がＯＦＦの期間、発振制御回路４は予熱周波数で発振し、その周波数は抵抗１５の抵抗とコンデンサ１６の容量の積に概略反比例する。一方、ＮＰＮトランジスタ１８がＯＮの期間は通常の点灯周波数で発振し、その周波数はコンデンサ１６及び１７の容量の和と抵抗１５の抵抗との積に概略反比例する。
【００１６】
ここで、放電灯７及び１１が正常な状態であれば、点灯前に予熱周波数で駆動しても点灯せず、また、点灯状態のときに予熱周波数で駆動すると点灯が継続されるように放電灯負荷回路Ｌ１００及びＬ１１０における共振のための回路定数を予熱周波数との関係で設定しておく。また、放電灯が不良の場合には予熱周波数で駆動すると消灯するように設定する。
【００１７】
±検出回路Ｄ１００は、放電灯負荷回路Ｌ１００及びＬ１１０の両端電圧の平均を検出するための回路である。放電灯７及び１１が正常放電している場合には、コンデンサ３３に印加される電圧（以下、検出電圧という）は概略０Ｖとなるが、放電灯７又は１１の少なくともどちらか一方が、寿命末期時等により不良の場合には検出電圧は正又は負の電圧となる。抵抗３１は、一端はカップリングコンデンサ５とチョークコイル６の接続点に、他端は抵抗３２を介して直流電源１の負極に接続される。また、抵抗３２にはコンデンサ３３が並列に接続される。
【００１８】
信号変換回路ＣＶ１００は、上記した±検出回路Ｄ１００において負の電圧が検出されると、予め定めた範囲から外れた場合（負の絶対値が大きい場合）には正の高レベルの出力を、範囲内にある場合は低レベルの信号を出力する変換回路である。
【００１９】
抵抗４４の一端はＶccに、他端はＮＰＮトランジスタ４５のコレクタに接続される。また、ＮＰＮトランジスタ４５のエミッタは直流電源１の負極に、ベースはダイオード４２のカソードに接続される。また、ダイオード４２のアノードは直流電源１の負極に接続される。抵抗４１はＶccとＮＰＮトランジスタ４５のベースとの間に接続される。さらに、コンデンサ４３はダイオード４２と並列に接続される。
【００２０】
ツェナーダイオード３５のカソードはＮＰＮトランジスタ４５のベースに、そのアノードはダイオード３４のアノードに接続される。一方、ダイオード３４のカソードは抵抗３１と３２の接続点に接続される。ダイオード４６のアノードはＮＰＮトランジスタ４５のコレクタに、カソードは後述する保持回路Ｈ１００の抵抗５６とツェナーダイオード３７のアノードに接続される。
【００２１】
ここで、ツェナー電圧が次式（１）を満足するようにツェナーダイオード３５を選定する。なお、その場合Ｖs1が０Ｖより十分低い電圧となるようにする。
−Ｖ33＜Ｖs1＝０−（Ｖz35 ＋ＶF34 ）＜０                            …（１）
（１）式に記載された記号は以下のものを示している。
Ｖz35 ：ツェナーダイオード３５のツェナー電圧
ＶF34 ：ダイオード３４の順方向電圧（約０．６Ｖ）
−Ｖ33：放電灯７又は１１において、カップリングコンデンサ５側にあるフィラメントの放電灯寿命末期時の放電物質消耗等の原因による不良時のコンデンサ３３での検出電圧
【００２２】
放電灯７及び１１が正常な状態であれば検出電圧は概略０Ｖであり、ＮＰＮトランジスタ４５のコレクタは低レベル（直流電源１の負極側の電圧）になる。逆に、１以上の放電灯が寿命末期等の不良状態になり、検出電圧が上記（１）式を満足する−Ｖ33になるとトランジスタ４５のコレクタは高レベルになる。
【００２３】
保持回路Ｈ１００は±検出回路Ｄ１００で検出された信号レベルの識別判定を行い、異常の信号レベルの場合にはインバータ回路の発振を停止させて停止状態を保持継続する回路である。少なくとも保持回路Ｈ１００と後述する遅延タイマ回路ＤＬ１００とで判断回路を構成する。保持回路Ｈ１００において、サイリスタ５３のカソードは直流電源１の負極に、アノードは抵抗５２を介してＶccに接続される。サイリスタ５３のゲートとカソードとの間に抵抗５４及びコンデンサ５５が接続される。サイリスタ５３のゲートから抵抗５６を介してツェナーダイオード３７のアノードに接続される。ダイオード３６のカソードはツェナーダイオード３７のカソードに、アノードは抵抗３１と３２の接続点に接続される。
【００２４】
ここで、ツェナーダイオード３７については、ツェナー電圧を次式（２）を満足するように選定する。なお、その場合Ｖs2が０Ｖより十分大きな電圧となるようにする。放電灯７及び１１が正常な状態であれば検出電圧が概略０Ｖであるため、サイリスタ５３のアノは高レベルである。一方、１以上の放電灯が寿命末期等の不良状態になり、検出電圧が上記（１）式を満足する＋Ｖ33になると、サイリスタ５３のアノードは低レベルになる。サイリスタ５３のアノードが低レベルになれば、Ｖccから抵抗５２を介して保持電流が流れるので、±検出回路Ｄ１００での検出電圧に関わりなく、以降、サイリスタ５３はＯＮ状態（低レベル）を継続する。
【００２５】
０＜Ｖs2＝ＶG53 ＋Ｖz37 ＋ＶF36 ＜＋Ｖ33                            …（２）
Ｖz37 ：ツェナーダイオード３７のツェナー電圧
ＶG53 ：サイリスタ５３のターンＯＮゲート電圧
ＶF36 ：ダイオード３６の順方向降下電圧（約０．６Ｖ）
＋Ｖ33：放電灯７又は１１において、直流電源１の負極側にあるフィラメントの放電灯寿命末期時の放電物質消耗等の原因による不良時のコンデンサ３３での検出電圧
【００２６】
遅延タイマ回路ＤＬ１００は、保持回路Ｈ１００のサイリスタ５３がＯＮ状態になった場合、まず、発振周波数を通常点灯周波数から予熱周波数に変更保持させる。次に予め定めた不良放電灯識別表示期間Ｔ１の後、発振制御回路４の発振周波数の駆動を停止させてインバータ回路の動作を停止させ、その状態を継続させる。ここで、不良放電灯識別表示期間Ｔ１は、電解コンデンサ６４が蓄えることができる電荷量に応じて決まる期間である。
【００２７】
抵抗６１の一端はサイリスタ５３のアノードに、他端はＮＰＮトランジスタ６３のベースに接続される。ＮＰＮトランジスタ６３のエミッタは直流電源１の負極に、コレクタは抵抗６２を介してＶccに接続される。ＮＰＮトランジスタ６３のコレクタと直流電源１の負極間に電解コンデンサ６４が接続される。電解コンデンサ６４と並列に、抵抗６６と６５による直列回路が接続される。ＮＰＮトランジスタ６７のエミッタは直流電源１の負極に、ベースは抵抗６６と６５との接続点に、コレクタは抵抗６８を介してＶccに接続される。ダイオード３８のアノードは発振制御回路４のＳ端子に、カソードはＮＰＮトランジスタ６７のコレクタに接続される。ここで、Ｓ端子に低レベルの電圧が印加される（信号として入力される）と、発振制御回路４は発振を停止する。
【００２８】
図３は本実施の形態の放電灯点灯装置の動作説明図である。図３において、（ａ）はコンデンサ５５の電圧波形、（ｂ）はサイリスタ５３の電圧波形、（ｃ）はＮＰＮトランジスタ６３のコレクタ電圧波形、（ｄ）はＮＰＮトランジスタ６７のコレクタ電圧波形を時間ｔの経過と共に表している。ここで、各波形は放電灯７又は１１の状態に対応し、モード１は放電灯７及び１１が正常な状態の場合を表し、モード２は、放電灯７が寿命末期等による不良の状態であり、放電灯１１が正常な状態の場合を表している。
【００２９】
次に図１及び図３に基づいて本実施の形態の放電灯点灯装置の動作について説明する。図１において、直流電源１が投入されると、発振制御回路４によりスイッチング素子２及び３は交互にＯＮ／ＯＦＦ駆動する。この時、インバータ回路の駆動周波数（発振制御回路４の発振周波数）はＮＰＮトランジスタ１８がＯＦＦのため予熱周波数で駆動する。
【００３０】
Ｖccの電圧印加により抵抗２１を介して電解コンデンサ２３が充電され、ＮＰＮトランジスタ１８がＯＮになると、発振制御回路４は点灯周波数で発振を開始し、放電灯７及び１１が通常点灯に至る。
【００３１】
まず、図３において放電灯７及び１１のいずれも正常状態である、モード１の場合の動作について説明する。モード１の動作期間は、図３の時間ｔ１からｔ２までの期間である。モード１では放電灯７及び１１は共に正常なので、コンデンサ５５の電圧は低レベル、サイリスタ５３のアノードが高レベルであるため、正常放電状態が継続されることになる。
【００３２】
次に、図３において放電灯７が寿命末期、放電灯１１が正常である、モード２の動作について説明する。モード２の動作説明期間は図３の時間ｔ２からｔ３までの期間である。ここで、期間途中の時間ｔ２１において放電灯７が寿命末期等による不良状態になったものとする。したがって、直流電源１の投入から時間ｔ２１までの期間は上記モード１と同様に放電灯７及び１１は正常点灯している。
【００３３】
時間ｔ２１で、放電灯７が不良状態になると±検出回路Ｄ１００から正又は負の電圧が検出される。負の電圧であれば信号変換回路ＣＶ１００で変換される。検出電圧によりコンデンサ５５における電圧は図３（ａ）に示すように高レベルになる。時間ｔ２２において、ゲート電圧がＯＮ状態になるとサイリスタ５３のアノードの電圧も図３（ｂ）に示すように低レベルになる。サイリスタ５３がＯＮ状態（低レベル）になると、電解コンデンサ２３に充電されている電荷は抵抗２２を介して放電される。そのため、時間ｔ２２においてＮＰＮトランジスタ１８はＯＦＦになる。したがって、発振制御回路４は予熱周波数で発振する。この場合、正常状態である放電灯１１は点灯を継続するが、寿命末期により不良状態の放電灯７は消灯する。予熱周波数で発振するので、放電灯負荷回路Ｌ１００及びＬ１１０での共振の鋭さが小さくなり、インバータ回路に過大な電流が流れるのを防止することができる。
【００３４】
サイリスタ５３がＯＮ状態（低レベル）になると、ＮＰＮトランジスタ６３はＯＦＦになり、電解コンデンサ６４は抵抗６２を介してＶccにより充電される。充電されることにより、電解コンデンサ６４の電圧は図３（ｃ）に示すように上昇していく。そして、期間Ｔ１の経過後、ＮＰＮトランジスタ６７がＯＮしてそのコレクタは図３（ｄ）に示すように低レベルになる。したがって発振制御回路４のＳ端子も低レベルになるため、発振制御回路４は発振を停止させ、インバータ回路も駆動停止する。
【００３５】
上記Ｔ１の期間はインバータ回路は予熱周波数で駆動するため、寿命末期等の不良の放電灯７は消灯し、正常である放電灯１１は点灯継続する。そのため、期間Ｔ１を適当に選定し、それに合わせた電解コンデンサ６４等を決定して設計することで、期間Ｔ１の間、放電灯が複数あっても、使用者は不良状態にある放電灯だけを間違いなく識別して交換することができる。また、上記期間Ｔ１が過ぎてインバータ回路が駆動停止した後でも、直流電源１を遮断した後に再投入すれば予熱の期間の後にモード２の状態となるため、何度でも繰り返し不良の放電灯を識別確認することができる。
【００３６】
以上のように本実施の形態によれば、複数の放電灯がインバータ回路に並列的に接続され、点灯前に予熱周波数で駆動しても点灯せず、また、点灯後に予熱周波数で駆動すると点灯が継続され、また、放電灯が不良の場合には予熱周波数で駆動すると消灯するように放電灯負荷回路の回路定数を設定しておき、１以上の放電灯が寿命末期等の不良状態になれば、発振制御回路４が点灯周波数だった発振周波数を予熱周波数に変更することにより、識別期間Ｔ１の間、不良の放電灯は消灯させ、正常な放電灯は点灯を継続させた後に、インバータ回路を停止させるようにしたので、不良の放電灯を容易に識別することができつつ、安全にインバータ回路の動作を停止することができる。このため、インバータ回路の停止後に、寿命末期等の不良の放電灯を正常な放電灯に交換しようとする場合に、従来のように放電灯の外観や汚れ等を手掛かりに、試行錯誤的な作業を行う必要がなく、複数の放電灯の中から不良放電灯のみを識別し、時間の無駄なく効率良く正常品に交換することができる。また、予熱周波数で駆動することにより、インバータ回路に過大な電流が流れるのを防止することができる。
【００３７】
実施の形態２．
上記の説明では、放電灯７が寿命末期等の不良、放電灯１１が正常の場合について説明したが、放電灯７が正常、放電灯１１が不良の場合も同様の効果があることは明らかである。また、上記説明では、放電灯が２灯の場合について説明したが、３灯以上の場合でも本発明が適用できることは明らかである。
【００３８】
実施の形態３．
上記の説明では、異常放電があることを検出した場合に、予熱周波数で発振させ、インバータ回路を駆動し、正常な放電灯の点灯を継続させ、不良の放電灯だけを消灯させるようにした。このような場合、点灯前のフィラメントの予熱を行う予熱周波数との兼用ができるので回路構成、周波数の制御を簡単にすることができる。ただ、本発明はこれに限定されるものではない。例えば、異常放電を検出した場合に発振制御回路４が発振する周波数を、予熱周波数とは異なった、点灯周波数よりも高い周波数で発振することにより、上記と同様の放電灯の点灯制御を行うようにしてもよい。その場合は、その周波数との関係に合わせて放電灯負荷回路Ｌ１００及び放電灯負荷回路Ｌ１１０の回路定数を設定する。
【００３９】
また、インバータ回路は上記構成のものに限らず、同等の機能を持つ他の構成のものでも良いことは明らかである。さらに、±検出回路Ｄ１００、信号変換回路ＣＶ１００、保持回路Ｈ１００、遅延タイマ回路ＤＬ１００、及び予熱タイマ回路ＰＨ１００についても上記に記載の構成のものに限らず、同等の機能を持つ他の回路構成のものでも良いことは明らかである。
【図面の簡単な説明】
【００４０】
【図１】この発明の実施の形態に係る放電灯点灯装置の構成を示す回路図。
【図２】直流電源１の構成例を表す図。
【図３】この発明に係る放電灯点灯装置の動作を説明する波形図。
【符号の説明】
【００４１】
１：直流電源  ２、３：スイッチング素子  ４：発振制御回路  ５：カップリングコンデンサ  ６、１０：チョークコイル  ７、１１：放電灯  ８、１２、１６、１７、３３、４３、５５：コンデンサ  １５、１９、２０、２２、３１、３２、４１、４４、５２、５４、５６、６１、６２、６５、６６、６８：抵抗  １８、４５、６３、６７：ＮＰＮトランジスタ  ２３、６４：電解コンデンサ  ３５、３７：ツェナーダイオード  ３８、４２、４６、５１：ダイオード  ５３：サイリスタ  Ｌ１００、Ｌ１１０：放電灯負荷回路  Ｖｃｃ：制御回路駆動電圧  Ｄ１００：±検出回路  ＰＨ１００：予熱タイマ回路  Ｈ１００：保持回路  ＤＬ１００：遅延タイマ回路  ＣＶ１００：信号変換回路。
【図１】
2005276735.tif 000003
【図２】
2005276735.tif 000004
【図３】
2005276735.tif 000005